【手続補正書】
【提出日】平成26年3月11日(2014.3.11)
【手続補正１】
【補正対象書類名】特許請求の範囲
【補正対象項目名】全文
【補正方法】変更
【補正の内容】
【特許請求の範囲】
【請求項１】
構成要素の表面を電解処理する電解処理装置であって、
反応室を備え、該反応室は、前記構成要素の少なくとも一部を該反応室内に配置するとともに反応流体を保持するようになっており、
さらに、
前記反応室と流体的に連通する移送室を備え、流体が、前記構成要素に向けられた複数の進入口を通って該移送室から前記反応室に進入し、前記複数の進入口の各々は、前記流体を鉛直方向において零度ではない少なくとも１つの角度をなして前記構成要素に向けるように配置されており、
さらに、
前記流体が前記反応室から前記移送室まで戻る流体帰還路を備える、電解処理装置。
【請求項２】
前記鉛直方向において零度ではない少なくとも１つの角度が、鉛直方向において零度ではない少なくとも２つの角度である、請求項１に記載の電解処理装置。
【請求項３】
前記鉛直方向において零度ではない少なくとも２つの角度のうちの少なくとも第１の角度が零度よりも大きく、かつ前記鉛直方向において零度ではない少なくとも２つの角度のうちの少なくとも第２の角度が零度より小さいようにされた、請求項２に記載の電解処理装置。
【請求項４】
前記複数の進入口の各々が、前記流体を水平方向において零度ではない少なくとも１つの角度をなして前記構成要素に向けるようにさらに配置される、請求項１に記載の電解処理装置。
【請求項５】
前記水平方向において零度ではない少なくとも１つの角度が、水平方向において零度ではない少なくとも２つの角度である、請求項４に記載の電解処理装置。
【請求項６】
前記反応室が前記反応室を覆うカバーを有する固定具であり、前記カバーは、前記複数の進入口を通って前記反応室に進入する前記流体を前記構成要素の表面に向けるように成形された底面を有する、請求項１に記載の電解処理装置。
【請求項７】
前記カバーの底面が複数の傾斜部を有する、請求項６に記載の電解処理装置。
【請求項８】
前記複数の進入口と前記カバーの底面とが協働して、前記流体が前記表面において入替るようにする、請求項６に記載の電解処理装置。
【請求項９】
前記複数の進入口と前記カバーの底面とが協働して、前記流体に前記構成要素の表面から熱を除去せしめる、請求項６に記載の電解処理装置。
【請求項１０】
前記複数の進入口が第１の非導電性物質を貫通している、請求項６に記載の電解処理装置。
【請求項１１】
前記第１の非導電性物質が、セラミック、プラスチック、ＰＶＣおよび繊維強化プラスチックのうちの少なくとも１つから構成される、請求項１０に記載の電解処理装置。
【請求項１２】
前記複数の進入口が固定具内に在り、前記固定具がチタン製陰極環部をさらに備える、請求項１０に記載の電解処理装置。
【請求項１３】
前記チタン製陰極環部が前記第１の非導電性物質に対して鉛直方向に隣接している、請求項１２に記載の電解処理装置。
【請求項１４】
前記複数の進入口が第１の非導電性物質を貫通しており、前記反応室が固定具であるとともに前記複数の進入口が前記固定具を貫通しており、前記固定具がチタン製陰極環部をさらに備える、請求項１に記載の電解処理装置。
【請求項１５】
前記チタン製陰極環部が前記第１の非導電性物質に対して鉛直方向に隣接している、請求項１４に記載の電解処理装置。
【請求項１６】
構成要素を陽極処理する固定具であって、複数の進入口が形成された反応室を備えており、前記複数の進入口の各々が、電解質を鉛直方向において零度ではない少なくとも１つの角度をなして前記構成要素に向けるように配置される、固定具。
【請求項１７】
前記鉛直方向において零度ではない少なくとも１つの角度が、鉛直方向において零度ではない少なくとも２つの角度である、請求項１６に記載の固定具。
【請求項１８】
前記鉛直方向において零度ではない少なくとも２つの角度のうちの少なくとも第１の角度が零度よりも大きく、かつ前記鉛直方向において零度ではない少なくとも２つの角度のうちの少なくとも第２の角度が零度より小さいようにされた、請求項１７に記載の固定具。
【請求項１９】
前記複数の進入口の各々が、前記電解質を水平方向において零度ではない少なくとも１つの角度をなして前記構成要素に向けるようにさらに配置される、請求項１８に記載の固定具。
【請求項２０】
前記水平方向において零度ではない少なくとも１つの角度が、水平方向において零度ではない少なくとも２つの角度である、請求項１９に記載の固定具。
【請求項２１】
当該固定具が前記反応室を覆うカバーを有しており、前記カバーは、前記電解質を前記構成要素の反応面に向けるように配置された底面を有する、請求項１９に記載の固定具。
【請求項２２】
前記複数の進入口と前記カバーの底面とが協働して、前記電解質が前記反応面において入替るようにする、請求項２１に記載の固定具。
【請求項２３】
前記複数の進入口と前記カバーの底面とが協働して、前記電解質に前記反応面から熱を除去せしめる、請求項２２に記載の固定具。
【請求項２４】
前記カバーの底面が複数の傾斜部を有する、請求項２３に記載の固定具。
【請求項２５】
前記複数の進入口が第１の非導電性物質を貫通している、請求項２１に記載の固定具。
【請求項２６】
前記第１の非導電性物質が、セラミック、プラスチック、ＰＶＣおよび繊維強化プラスチックのうちの少なくとも１つから構成されるとともに、当該固定具がチタン製陰極環部をさらに備える、請求項２５に記載の固定具。
【請求項２７】
前記チタン製陰極環部が前記第１の非導電性物質に対して鉛直方向に隣接している、請求項２４に記載の固定具。
【請求項２８】
構成要素を電解処理する電解処理方法であって、反応流体を複数の経路に沿わせて前記構成要素に向けることを含み、前記複数の経路の各々が鉛直方向において零度ではない少なくとも１つの角度のうちの１つをなしている、電解処理方法。
【請求項２９】
反応流体を複数の経路に沿わせるとともに鉛直方向において零度ではない少なくとも１つの角度のうちの１つをなして前記構成要素に向ける際において、反応流体を複数の経路に沿わせて前記構成要素に向けることを含み、前記複数の経路の各々が鉛直方向において零度ではない少なくとも２つの角度のうちの１つをなしている、請求項２８に記載の電解処理方法。
【請求項３０】
前記鉛直方向において零度ではない少なくとも２つの角度のうちの少なくとも第１の角度が零度よりも大きく、かつ前記鉛直方向において零度ではない少なくとも２つの角度のうちの少なくとも第２の角度が零度より小さいようにされた、請求項２９に記載の電解処理方法。
【請求項３１】
前記複数の経路の各々が、水平方向において零度ではない少なくとも１つの角度をなしている、請求項２９に記載の電解処理方法。
【請求項３２】
前記水平方向において零度ではない少なくとも１つの角度が、水平方向において零度ではない少なくとも２つの角度である、請求項３１に記載の電解処理方法。
【請求項３３】
前記反応流体が表面において入替るようにすることをさらに含む、請求項３２に記載の電解処理方法。
【請求項３４】
熱を前記構成要素の表面から除去することをさらに含む、請求項３３に記載の電解処理方法。
【請求項３５】
前記反応流体を複数の経路に沿わせて前記構成要素に向ける際において、前記反応流体を第１の非導電性物質に通して向ける、請求項３１に記載の電解処理方法。
【請求項３６】
前記反応流体を複数の経路に沿わせて前記構成要素に向ける際において、前記反応流体を、陰極環部に対して鉛直方向に隣接する第１の非導電性物質に通して向ける、請求項３１に記載の電解処理方法。
【請求項３７】
前記反応流体を複数の経路に沿わせて前記構成要素に向ける際において、前記反応流体を、チタン製陰極環部に対して鉛直方向に隣接する第１の非導電性物質に通して向ける、請求項３１に記載の電解処理方法。